【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
１以上のビデオ出力表示装置のためのビデオ入力を制御し、選択する装置であって、
プログラマブル・マルチメディア・コントローラに相互接続された１以上のビデオ出力表示装置と、
前記プログラマブル・マルチメディア・コントローラに相互接続された１以上のビデオ入力装置と、
前記プログラマブル・マルチメディア・コントローラに相互接続されたタッチセンサー式表示装置であって、前記ビデオ入力装置から少なくとも１つのビデオ信号を受信し、前記信号の１以上を１以上のタッチセンサー式ビデオ選択ボタンに表示するタッチセンサー式表示装置と
を含み、前記ボタンの少なくとも１つは、ユーザの接触に応答し、事実上、前記プログラマブル・マルチメディア・コントローラに対し、ユーザが選択したビデオ出力表示装置への関連ビデオ信号のための通信路を確立すべきことを命じるように構成される、装置。
【請求項２】
１以上のビデオ出力表示装置に出力するためのビデオ入力を制御し、選択する方法であって、
プログラマブル・マルチメディア・コントローラに相互接続された１以上のビデオ出力表示装置を接続するステップと、
前記プログラマブル・マルチメディア・コントローラに相互接続された１以上のビデオ入力装置を接続するステップと、
タッチセンサー式表示装置を前記プログラマブル・マルチメディア・コントローラに相互接続するステップと
を含み、前記タッチセンサー式表示装置は、少なくとも１つのビデオ入力装置からビデオ入力を受信し、前記ビデオ入力装置により生成された信号の１以上を１以上のタッチセンサー式ビデオ選択ボタンに表示するように構成され、
前記ボタンの少なくとも１つは、ユーザの接触に応答し、事実上、前記プログラマブル・マルチメディア・コントローラに対し、ユーザが選択したビデオ出力表示装置への関連ビデオ信号のための通信路を確立すべきことを命じるように構成される、方法。
【請求項３】
各ボタンが特定のビデオ出力表示装置を表す複数のタッチセンサー式ボタンを表示する画面の第１の部分と、各ボタンがビデオ入力装置、ビデオ信号源、オーディオ入力装置、及びオーディオ信号源のうちの少なくとも１つを含む１以上の利用可能なメディア入力を表示する複数のタッチセンサー式ボタンを表示する前記画面の第２の部分とを含むように、前記タッチセンサー式表示装置をプログラミングするステップと、
所望のメディア入力に関連する選択されたボタンを押すステップと、
前記所望のメディア入力に関連する前記タッチセンサー式ボタンを、前記画面の前記第２の部分にある１以上のタッチセンサー式ボタンまでドラッグするステップと、
選択されたメディア入力を１以上のビデオ出力表示装置に関連付けるために、前記選択された入力ボタンを各所望のビデオ出力表示装置ボタンの上にドロップするステップと
をさらに含む、請求項２に記載の１以上のビデオ出力表示装置に出力するためのビデオ入力を制御し、選択する方法。
【請求項４】
前記所望のビデオ出力表示装置ボタン上への選択されたビデオ入力ボタンのドロップに応答し、前記プログラマブル・コントローラが、関連ビデオスイッチに対し、前記選択されたビデオ入力装置と、前記所望のビデオ出力表示装置との間に通信路を開き、選択されたビデオ入力源から前記所望のビデオ出力表示装置へ、選択されたビデオ信号を接続すべきことを命じるステップをさらに含む、請求項３に記載の１以上のビデオ出力表示装置に出力するためのメディア入力を制御し、選択する方法。
【請求項５】
ユーザが、選択されたビデオ入力装置により現在表示されている番組を前記タッチセンサー式表示装置上の小さなパネルにおいて見ることが出来るように、前記選択されたビデオ入力装置から前記タッチセンサー式表示装置へビデオコンテンツをストリーミングするステップをさらに含む、請求項２に記載の１以上のビデオ出力表示装置に出力するためのメディア入力を制御し、選択する方法。
【請求項６】
前記ユーザが選択したビデオ入力装置から前記表示装置上の１以上のビデオ出力表示装置ボタン上へビデオ信号をストリーミングするステップをさらに含む、請求項５に記載の１以上のビデオ出力表示装置に出力するためのメディア入力を制御し、選択する方法。
【請求項７】
前記ビデオ出力表示装置に現在接続されているビデオ入力源の視覚的表示器を、各接続されたビデオ出力表示装置ボタンにタグ付けするステップをさらに含む、請求項４に記載の１以上のビデオ出力表示装置に出力するためのメディア入力を制御し、選択する方法。
【請求項８】
前記タッチセンサー式画面において、ユーザが複数のタッチセンサー式ビデオ出力表示装置ボタンを選択し、ビデオ入力タグを前記ビデオ出力表示装置の一つまでドラッグすることに応答し、前記プログラマブル・コントローラが、前記ビデオスイッチに対し、前記選択されたビデオ出力表示装置のそれぞれへの通信路を開くべきことを命じるステップと、
前記ビデオ入力タグにより表された前記ビデオコンテンツを前記選択されたビデオ出力表示装置のそれぞれに表示し、それによって、前記ビデオコンテンツを前記選択されたビデオ出力表示装置のそれぞれにブロードキャストするステップと
をさらに含む、請求項２に記載の１以上のビデオ出力表示装置に出力するためのメディア入力を制御し、選択する方法。
【請求項９】
２以上のビデオ出力表示装置の間においてビデオ入力源を入れ換えるステップと、
選択されたビデオ出力表示装置ボタン上のタッチセンサー式ビデオ入力タグに触れるステップと、
前記タグを入れ換えの対象であるビデオ出力表示装置ボタンの上までドラッグするステップと、
前記タッチセンサー式ビデオ入力タグを前記ユーザが入れ換えを望む予測されるビデオ出力表示装置ボタンの上にドロップするステップと、
前記選択されたビデオ入力装置から前記入れ換えの対象である前記ビデオ出力表示装置へ、ビデオストリーミングを送信するステップと
をさらに含む、請求項２に記載の１以上のビデオ出力表示装置に出力するためのメディア入力を制御し、選択する方法。
【請求項１０】
ユーザが特定のビデオ入力装置を選択することに応答し、前記プログラマブル・マルチメディア・コントローラが、前記タッチセンサー式表示装置に対し、前記選択されたビデオ入力装置から利用可能な番組を表示している前記タッチスクリーン上の小さな部分に前記ビデオストリームを表示するように表示を変更すべきことを命じるステップをさらに含む、請求項２に記載の１以上のビデオ出力表示装置に出力するためのメディア入力を制御し、選択する方法。
【請求項１１】
ビデオ出力表示装置は、テレビ受信機、ＣＲＴ、タッチパネル、フラットパネルディスプレイ、コンピュータモニタ、及びパーソナル・メディア・プレイヤーのうちの１つである、請求項２に記載の１以上のビデオ出力表示装置に出力するためのメディア入力を制御し、選択する方法。
【請求項１２】
ビデオ入力装置は、ケーブルテレビ受信機、衛星テレビ受信機、ＤＶＤプレイヤー、ＤＶＲ、ＶＣＲ、コンピュータ、及びビデオゲーム機のうちの１つである、請求項２に記載の１以上のビデオ出力表示装置に出力するためのメディア入力を制御し、選択する方法。
【請求項１３】
ビデオ入力装置は、ラジオ受信機、衛星ラジオ受信機、ＣＤプレイヤー、パーソナル・メディア・プレイヤー、及びデジタル・オーディオ・プレイヤーのうちの少なくとも１つを含むオーディオ入力装置である、請求項２に記載の１以上のビデオ出力表示装置に出力するためのメディア入力を制御し、選択する方法。
【請求項１４】
タッチセンサー式表示装置は、２グループのボタンを有するように構成され、第１グループのボタンにおける各ボタンは、ビデオ出力表示装置のシステムにおけるビデオ出力表示装置に対応し、前記第２グループのボタンにおける各ボタンは、所与のビデオ入力装置に対応する、請求項１に記載の１以上のビデオ出力表示装置に出力するためのビデオ入力を制御し、選択する装置。
【請求項１５】
前記プログラマブル・マルチメディア・コントローラは、ユーザがビデオ入力装置ボタンを押し、それをビデオ出力表示装置までドラッグすることに応答し、前記選択されたビデオ入力装置から個々の前記ビデオ出力表示装置へビデオスイッチを介して前記ビデオコンテンツ信号を伝送するための通信路を確立するようにプログラミングされる、請求項１に記載の１以上のビデオ出力表示装置に出力するためのビデオ入力を制御し、選択する装置。
【請求項１６】
前記プログラマブル・マルチメディア・コントローラは、前記タッチセンサー式表示装置上の選択されたビデオ出力表示装置ボタンに、又は当該選択されたビデオ表示装置ボタンに近接して、そのビデオ出力表示装置へ送信されるべき前記選択されたビデオ入力装置上に現在現れているストリーミングビデオを表示するようにさらにプログラミングされる、請求項１に記載の１以上のビデオ出力表示装置に出力するためのビデオ入力を制御し、選択する装置。
【請求項１７】
前記プログラマブル・マルチメディア・コントローラは、インターネットに接続される、請求項１に記載の１以上のビデオ出力表示装置に出力するためのビデオ入力を制御し、選択する装置。
【請求項１８】
前記プログラマブル・マルチメディア・コントローラは、前記システムの一般的動作を管理するようにプログラムされたマイクロコントローラ、並びにバスを介して前記マイクロコントローラに接続されたビデオスイッチ及びオーディオスイッチを含む、請求項１に記載の１以上のビデオ出力表示装置に出力するためのビデオ入力を制御し、選択する装置。
【請求項１９】
前記ビデオスイッチは、多数の接続を同時に切替える能力を有するクロスポイントスイッチである、請求項１に記載の１以上のビデオ出力表示装置に出力するためのビデオ入力を制御し、選択する装置。
【請求項２０】
前記ビデオスイッチは、デジタル信号を切替えるための時分割多重スイッチである、請求項１に記載の１以上のビデオ出力表示装置に出力するためのビデオ入力を制御し、選択する装置。
【請求項２１】
前記装置は、家庭又は商業施設の種々の場所にあるテレビ受信機である、請求項１に記載の１以上のビデオ出力表示装置に出力するためのビデオ入力を制御し、選択する装置。